(57)【特許請求の範囲】
【請求項１】
ＬＥＤである光源と該光源の光を収斂する集光レンズとを備え、第１状態では装置内に位置し、第２状態では前記光源及び前記集光レンズを含む少なくとも一部が突出する可動式光源ユニットと、
前記第１状態の前記光源ユニットの光を受ける位置に備えられるリフレクタと、
前記リフレクタによって反射された光を受ける位置に備えられる光透過性カバーと、  を備え、
前記第１状態から前記第２状態への移行、及び前記第２状態から前記第１状態への移行がスライド動作によって行なわれる照明装置。
【請求項２】
前記光源ユニットが回転可能な状態で固定されるスライドトレイを更に備え、該スライドトレイが前後にスライドすることによって前記光源ユニットの状態の移行が行なわれる、請求項１に記載の照明装置。
【請求項３】
前記光透過性カバーに光拡散処理が施されている、請求項１〜２のいずれか一項に記載の照明装置。
【発明の詳細な説明】
【技術分野】
【０００１】
本発明は照明装置に関する。本発明の照明装置は、車両室内を照明することに好適に利用される。
【背景技術】
【０００２】
自動車室内用の照明装置としてルームランプが使用されているが、これに加えて、特定の領域をスポット的に照明することに利用されるランプ（以下、「スポット照明ランプ」という）が用いられるようになってきている。スポット照明ランプは例えば、運転者又は乗員の手元を照明することで地図等を参照する際の明かりを提供することに利用される。ルームランプには比較的広い範囲を照明できることが必要とされる一方で、スポット照明ランプには限られた領域のみを照明できることが要望される。このようにルームランプとスポット照明ランプでは求められる照明範囲が異なることから、従来はルームランプ用の光源とスポット照明ランプ用の光源とをそれぞれ用意し、そしてレンズを用いるなどして各ランプの照明範囲を個別に制御していた。
一方、特許文献１には、一つの光源によって照明範囲の異なる二種類の照明光を得ることが可能な車両用照明装置が提案されている。この照明装置では、第１の状態のときには光源の光をレンズによって集光してスポットライト的照明光を得るとともに、第２の状態の時には反射鏡を利用するなどして光源の光を、光源の背後に設置された導光板に導いて間接照明光を得ている。
【先行技術文献】
【特許文献】
【０００３】
【特許文献１】特開平０６−２７８５３０号公報
【発明の開示】
【発明が解決しようとする課題】
【０００４】
上記のようにルームランプとスポット照明ランプに別々の光源を用いて照明装置を構成した場合には、各光源用のスペースをそれぞれ確保する必要があり結果として照明装置のサイズが拡大化してしまう。また、光源数が増大することに伴い、装置全体の構成も複雑化する。さらに、各光源用の配線が必要となることから照明装置を設置する際の配線数が増加し、作業性の低下を引き起こす。
一方、特許文献１に開示される照明装置では一つの光源によって二種類の照明光が得られるものの、照明範囲の広い光として間接光が利用されていることから、例えば車両のルームランプに求められるような十分な照度が得られない。また、導光板用のスペースを光源の背後に確保する必要があることから、特に奥行き方向に関して装置の小型化が制限を受ける。従って、車両の天井など、奥行き方向に十分な長さを確保することが困難な場所における照明装置としては適当ではなかった。
【課題を解決するための手段】
【０００５】
本発明は以上の課題を解決するために、以下の構成を提供する。即ち、
第１状態のときに第１位置となり、第２状態のときに第２位置となる可動式光源ユニットと、
前記第１状態の前記光源ユニットの光が照射する位置に備えられる光拡散部材と、
を備える照明装置である。
【発明の効果】
【０００６】
本発明では、二つの状態（位置）をとることができる可動式光源ユニットが使用される。そして光源ユニットが第１状態のときには、光源ユニットから放出された光は拡散部材によって拡散された後に外部に放出されることとなり、広範囲の照明光が得られる。即ち、光源ユニットが第２状態のときに比較して、光源ユニットが第１状態のときにはより広範囲の照明光が得られる。このように、本発明の構成によれば照射範囲の異なる二種類の照明光を、照明光ごとに別々の光源を用いることなく作り出すことができる。したがって、光源用のスペースが少なくてよく、照明装置を小型に構成できる。また、使用する光源数の減少によって、装置の構成が簡略化される。また、光源数の減少によって配線数も減少し、照明装置を設置する際の作業性も向上する。
また、本発明の構成では光拡散部材によって広範囲の光を得て、それを照明光として利用する。したがって、この広範囲の照明光も十分な照度になる。また同時に、間接照明光を得る場合に必要とされる導光板などの部材が必須ではなく、これによって照明装置の一層の小型化・薄型化が達成される。
尚、第１状態の光源ユニットの光は運転席及び助手席、或いは後部座席など比較的広い範囲を対象とした照明に利用できる。他方、第２状態の光源ユニットの光は乗員の手元やセンターコンソールの一部、或いは乗員の足元など、比較的狭い範囲を対象とした照明に利用できる。
【図面の簡単な説明】
【０００７】
【図１】図１は本発明の参考例を示す図である。図１ａは車両室内用照明装置１の斜視図であり、図１ｂは図１ａにおけるＡ−Ａ線断面図である。
【図２】図２は本発明の他の参考例を示す図である。図２ａは車両室内用照明装置２の斜視図（マップランプモード時）であり、図２ｂは図２ａのＢ−Ｂ線断面図である。図２ｃはルームランプモード時の断面図である。
【図３】図３は本発明の他の参考例を示す図である。図３ａは車両室内用照明装置３の斜視図であり、図３ｂは図３ａのＣ−Ｃ線断面図である。
【図４】図４は本発明の他の参考例を示す図である。図４ａは車両室内用照明装置４の斜視図であり、図４ｂは図４ａのＤ−Ｄ線断面図である。
【図５】図５は本発明の実施例を示す図である。図５ａは車両室内用照明装置５の斜視図であり、図５ｂは図５ａのＥ−Ｅ線断面図である。
【図６】図６は本発明の他の実施例を示す図である。図６ａは車両室内用照明装置５ａの斜視図であって、ルームランプモード時の状態が示される。図６ｂは同じく車両室内用照明装置５ａの斜視図であって、マップランプモード時の状態が示される。
【図７】図７は本発明の他の参考例を示す図である。図７ａは車両室内用照明装置６の斜視図であり、ルームランプモード時の状態が示される。図７ｂは同様に照明装置６の斜視図であり、マップランプモード時の状態が示される。
【図８】図８は、本発明の参考例である照明装置１の使用状態の例を示す図である。
【発明を実施するための形態】
【０００８】
以下、本発明を構成する各要素について説明する。
（光源ユニット）
光源ユニットには少なくとも一つの光源が使用される。光源としてはLED（発光ダイオード）、電球（バルブ）、蛍光灯、冷陰極管などを用いることができる。中でもLEDを採用することが好ましい。LEDは小型であることから、LEDを光源として用いれば光源用のスペースが少なくてすみ、本発明の照明装置をより小型に構成することができる。小型に構成できれば、照明装置のハンドリング性も向上するという利点もある。一方、LEDは消費電力及び発熱量が小さいことから省エネルギー化の要請にも応えるものである。更には、長寿命であることからメンテナンスの面でも有利となる。加えてLEDは振動、衝撃に強いことから信頼性の高い照明装置を構成できるといった利点もある。LEDの種類は特に限定されず、砲弾型（レンズ型）、チップ型等、種々のものを採用できる。
必要とされる照明色に応じて適切な発光色の光源が採用される。例えば、白色系、黄色系、緑色系、青色系、アンバー系などの発光色の光源を使用する。好ましい発光色としては、白色系ないし黄色系、或いはアンバー系を挙げることができる。白色系ないし黄色系の光源を採用すれば照明効果（視認性）の高い照明となる。一方、アンバー系の光源を採用すれば落着いた雰囲気や高級感のある雰囲気などを演出することが可能となる。
【０００９】
紫外線領域の光を発光する光源を使用し、併せて光源の光を受けて蛍光する蛍光体を使用することとしてもよい。この場合には例えば、後述の光透過性カバーの表面に蛍光体を含む層を形成する。このような蛍光体を含む層は蛍光体含有インク若しくは塗料の印刷、塗布などにより又は蛍光体を含むシートの貼着などによって形成することができる。また、蛍光体を光透過性カバー内に含有させることもできる。このような構成では光透過性カバー内で蛍光が生じ、この蛍光が光透過性カバーの光放出面から放出されることによって照明が行われる。
【００１０】
蛍光体の種類は特に限定されず、有機系、無機系を問わず採用することができる。有機系の蛍光体を用いることによりクリアー感のある蛍光色の光を得ることができる。他方、無機系の蛍光体を用いると艶消し感のある蛍光色の光を得ることができる。様々な蛍光色を有する蛍光体を採用することができ、例えば光の三原色である赤色、緑色、又は青色の蛍光色を有する蛍光体の他、それらの中間色を蛍光する蛍光体を用いることができる。複数の蛍光体を組み合わせて用いることもでき、例えば赤色系蛍光体、緑色系蛍光体、及び青色系蛍光体を混合して用いることができる。
【００１１】
複数個の光源を用いて光源ユニットを構成してもよい。この場合、同種の光源を複数用いることも、発光色などの異なる光源を組み合わせて用いることもできる。複数個の光源を用いることにより照度の増強あるいは光の混色による様々な発光色の照明といった効果を得ることができる。尚、光源の使用数は各光源の輝度、求められる照度等を総合的に考慮して定めることができる。複数個の光源を用いる例として、赤色系LED、緑色系LED、及び青色系LEDの３種を併用するものを挙げることができる。このような光源によれば各LEDの混色によって白色光を得ることができる。また各LEDの発光状態、発光量を制御すれば所望の色の光を得ることもできる。
【００１２】
本発明の一態様では光源ユニットに、光源の光を収斂する集光レンズが備えられる。このような構成は、光源ユニットが第２状態のときにスポット的照明光を得ることを目的として採用される。この態様では集光レンズの作用によって集光した光が光源ユニットから放出される。即ち、スポット的照明に好ましい照明光が得られることとなる。尚、以上の構成において光源ユニットが第１状態のときには、光源ユニットの光は後述の光拡散部材によって拡散されることによって広範囲の光へと変換された後に外部放出されることとなる。
【００１３】
光源ユニットは可動式であって少なくとも二つの状態を採り得る。即ち、光源ユニットはその位置を変化させることによって少なくとも第１状態と第２状態となることができる。このように本発明では光源ユニットの位置が変化することを特長とするが、本発明における「光源ユニットの位置の変化」には、光源ユニットの光照射方向のみが変化することも含まれるものとする。
【００１４】
光源ユニットの採り得る状態が二つの場合（第１状態及び第２状態）には、光源ユニットが第１状態にあるときに照明装置は拡散モードとなって広範囲の光を照射し、他方光源ユニットが第２状態にあるときに照明装置は集光モードとなってスポット的照明光を照射する。
光源ユニットの可動方式としては機械式（カム式）及び電動式（モータ及びギアによる可動）を例示できる。
光源ユニットの状態は、スライド、回転、或いはスライド及び回転の組み合わせなどによって切替えられる。
【００１５】
（切替スイッチ）
光源ユニットの状態を切替えるためのスイッチ（切替スイッチ）が使用される。即ち、切替スイッチの操作によって光源ユニットが第１状態から第２状態、又は第２状態から第１状態へと切替えられる。切替スイッチは照明装置に備えられてもよいし、或いは照明装置とは別に備えられてもよい。
切替スイッチは、照明装置を設置した際に使用者の操作に支障のない位置に備えられる。切替スイッチが照明装置に備えられる構成を採用する場合には例えば、照明装置の前面又は側面に切替スイッチが設けられる。
切替スイッチを照明装置の電源スイッチと兼用することもできる。即ち、電源のオンオフと照明モードの切替えとを一つのスイッチによって行うこととしてもよい。例えば、プッシュ式のスイッチとし、スイッチを押すごとに照明装置の電源オン（拡散モード）、拡散モードから集光モードへの変換、及び照明装置の電源オフと順に移行するように設定することができる。
【００１６】
（光拡散部材）
光源ユニットが第１状態のときに光源ユニットの光が照射する位置に光拡散部材が備えられる。これによって、光源ユニットが第１状態のときには光源ユニットの光は光拡散部材によって拡散された後に外部放出され、結果として広範囲の照明光が得られることとなる。
本発明の一態様では、光拡散部材としてのリフレクタが備えられる。リフレクタは少なくとも表面が光反射率の高い材料によって形成される。このような材料としては白色系の樹脂や、Ａｌ、Ａｇなどの金属を例示することができる。リフレクタによって反射及び拡散された光を直接外部に取り出して照明光として利用してもよいが、典型的には後述の光透過性カバーを介して光が取り出される。
本発明の他の一態様では、光拡散処理を施した光透過性カバーが備えられ、これが光拡散部材として機能する。このような目的で使用される光透過性カバーの材質は、光源ユニットの光に対して透過性であれば特に限定されない。好ましくは透明（無色透明、有色透明を含む）な材料により光透過性カバーを構成する。また、加工が容易で耐久性に優れた材料により光透過性カバーを構成することが好ましい。具体的には例えば、アクリル樹脂、ポリエチレンテレフタレート（PET）、ポリカーボネート樹脂、エポキシ樹脂、ガラス等を材料として光透過性カバーを形成することができる。
【００１７】
光透過性カバーにおいて、少なくとも第１状態の光源ユニットの光が照射する領域に光拡散処理が施される。光拡散処理は、光透過性カバーの表面に規則的又は不規則的なパターンの凹凸（溝）を形成することや、光透過性カバーの表面に光拡散性フィルムを貼付することなどによって行われる。尚、光拡散性カバーの表面に光拡散処理を施すのではなく、光透過性カバー内に光拡散剤（例えばシリカゲルや酸化チタン）を含有させることによって光透過性カバー内において光拡散効果が得られるようにしてもよい。
【００１８】
本発明の一態様では光拡散部材として導光体が利用される。この態様では、第１状態の光源ユニットの光が導光体に導入され、導光作用によって光が分散される。そして導光体の表面の一部（光放出面）を介して光の放出が行われる。光放出面以外からの光の漏洩を防止するために、光導入面及び光放出面以外の導光体表面に光反射層を形成することが好ましい。第２状態の光源ユニットの光も導光体に導入される構成としてもよい。即ち、導光体に、第１状態の光源ユニットの光を導入するための光導入面とは別に第２状態の光源ユニットの光を導入するための第２光導入面を設けてもよい。但しこの場合には、第１状態の光が導入される第１領域と、第２状態の光が導入される第２領域の少なくとも二つの領域が導光体に備えられ、第１領域は上記のような導光作用及び拡散作用が得られるように構成されるが、第２領域は導入された光を拡散させないように構成される。具体的には第２領域を例えば平板状とし、面積が最大の一対の面の片方を第２光導入面とし、他方を当該導入面より導入された光を外部に放出する光放出面とする。即ち、第２光導入面と光放出面とを近接して配置することによって導光体内での光の拡散を防止する。導光体の第２領域に集光効果を付与することが好ましい。例えば第２領域（又はその一部）を凸レンズ状に形成することによって集光効果を得ることができる。尚、一つの導光体を使用して上記のごとき第１領域及び第２領域を形成するのではなく、第１状態の光源ユニットの光が導入される導光体と、第２状態の光源ユニットの光が導入される導光体とを別々に用意してもよい。
【００１９】
本発明の一態様では光透過性カバーの一部に集光レンズが形成される。この集光レンズは、光透過性カバーにおいて第２状態の光源ユニットの光が照射する領域に形成される。このような構成は、光源ユニットが第２状態のときにスポット的照明光を得ることを目的として採用される。この態様では光源ユニットが第２状態のときに光源ユニットの光が光透過性カバーを通過する際に集光されることとなる。このように、本発明では光透過性カバーによって第２状態の光源ユニットの光の照射範囲を制御してもよい。
＜参考例１＞
【００２０】
本発明の参考例を図１に示す。図１ａは車両室内用照明装置１（以下、「照明装置１」という）の斜視図であり、図１ｂは図１ａのＡ−Ａ線断面図である。
照明装置１は、筐体１０、光源ユニット２０、カバー３０、電源スイッチ４０、及びモード切替スイッチ４１を備える。
筐体１０は光を透過しない樹脂（本参考例ではグレーに着色された樹脂）からなり、その中央に長方形の開口部を有する正面パネル１１と、正面パネル１１に連続する中空の収納部１２とから構成される。正面パネル１１の中央に設けられた開口部にはカバー３０が嵌め込まれている。正面パネル１１の縁部には開口部が二つ設けられ、各開口部を利用して電源スイッチ４０及びモード切替スイッチ４１が取り付けられる。
筐体１０の収納部１２内には光源ユニット２０が収納される。光源ユニット２０は回転軸２３によって収納部１２に固定されており、矢印ｘで示すように回転可能な状態となっている。図では省略しているが、光源ユニット２０を駆動するためのモータ及びギアが備えられており、これらの部材によって光源ユニットは約９０°の範囲を回転可能となっている。
【００２１】
光源ユニット２０にはレンズ型LED２１が三個内蔵されている。この参考例では各LED２１のレンズ頂点を結ぶ直線が正三角形を形成するように各LED２１を配置している。LEDの配置態様はこれに限られず、また使用するLEDの数についても必要とされる照度などを基準として任意に選択できる。本参考例で使用されるLED２１はいずれも白色系ないし黄色系の発光色を有する。各LED２１は、所定の配線パターン及び制御回路等が形成された基板に設置されており、図示しない配線を介して給電され、また電源スイッチ４１による点灯制御を受ける。
【００２２】
カバー３０は光透過性樹脂製の平板状部材である。収納部１２側のほぼ中央にはカバー３０を第１領域３２と第２領域３３とに分ける仕切り３１が形成されている。この参考例において仕切り３１は、カバー３０の一部を突出した形状とすることによって形成されている。
カバー３０の第１領域（図１ａにおいて斜線を付した領域）３２において光源ユニット２０に対向する側の表面には光拡散処理が施されている。この参考例ではサンドブラストによって不規則な微細な溝を形成している。
【００２３】
電源スイッチ４０はプッシュ式スイッチであって、これを押すごとに照明装置１のオンオフが切換わる。一方、モード切替スイッチ４１はロッカースイッチであって、照明装置１の照明モードを選択することに使用される。即ち、ルームランプモードとマップランプモードとの切替えに使用される。
【００２４】
照明装置１の使用状態の例を図８に示す。この例では自動車室内のルーフ部１１０において運転席と助手席との間の位置に、カバー３０の第１領域３２が自動車の進行方向側となるように設置される。
【００２５】
次に、照明装置１の照明態様について説明する。まず初期状態（電源オフ、切換えスイッチ４１がルームランプモード側）では、光源ユニット２０はルームランプモード側（第１状態）にあり、その光放出側がカバー３０の第１領域３２に対向している（図１ｂを参照）。尚、光源ユニット２０へは給電されず、光源ユニット２０内の各LED２１は消灯状態である。この状態において電源スイッチ４０を押すと、光源ユニット２０が給電されて各LED２１が点灯する。各LED２１から放出された光は筐体１０の収納部１２内を通ってカバー３０の第１領域３２に至る。そしてこの光は、カバー３０の第１領域３２の表面において光拡散作用を受けた後、拡散、混合しながらカバー３０を通過し、最終的にカバー３０の光放出面３４より外部に放出される。その結果カバー３０の光放出面３４からは広範囲の光が放射し、これによって車両室内の比較的広範囲が照明されることとなる（ルームランプモード）。
続いて、切替スイッチ４１をルームランプ側からマップランプ側にすると、点灯状態を維持しつつ光源ユニット２０が回転軸２３を中心に約９０°回転する。その結果、光源ユニット２０の光放出側が、カバー３０において第１領域３２と仕切りを隔てて位置する第２領域３３に対向することとなる（第２状態）。尚、図１ｂでは、この位置にある光源ユニットを点線２２で示す。この状態では各LED２１から放出された指光性の高い光がカバー３０の第２領域３３を介して外部に放出される。その結果、スポット的な光による照明が行われる（マップランプモード）。
【００２６】
尚、電源スイッチ４０の操作によって、光源ユニット２０の位置に関係なく光源ユニット２０のオンオフが切替わる。したがって例えば、光源ユニット２０が消灯状態でマップランプモード位置にあるときに電源スイッチ４０を押せば、ルームランプモードを経ることなくマップランプモードの照明が行なわれる。
同様に、切替スイッチ４１の操作によって、光源ユニット２０の状態（オン状態又はオフ状態）に関係なく光源ユニット２０の位置が切替わる。したがって例えば光源ユニット２０がオフ状態でルームランプモード位置にあるときに切替スイッチをマップランプモード側にすれば、光源ユニット２０は消灯状態を維持しつつマップランプ位置となる。この状態において電源スイッチ４０を押せば光源ユニット２０が点灯状態となり、上記と同様にマップランプモードの照明が行われる。
【００２７】
ここで、カバー３０に仕切り３１を形成したことによって、光源ユニット２０がルームランプモードのときにカバー３０の第２領域３３を介して外部に放射する光の発生と、光源ユニット２０がマップランプモードのときにカバー３０の第１領域３２を介して外部に放射する光の発生を効果的に防止することができる。尚、仕切り３１を形成する位置はカバー３０の中央に限られるものではなく、例えば、より第１領域３２が大きくなるような位置に仕切り３１を形成してもよい。また、光源ユニット２０の構成によって、或いは光源ユニット２０とカバー３０との位置関係などによって、上述のような好ましくない光の発生がない場合や実際上問題とならない場合には、上記の仕切り３１を設けなくともよい。
【００２８】
以上の参考例ではレンズ型LEDを使用しているが、これに代えてSMDタイプ（表面実装型）のLEDを使用してもよい。この場合にはLEDの光放出方向に集光レンズを設置し、LEDの光が一旦集光した後にカバー３０に照射するように構成することが好ましい。LEDを複数使用する場合には、集光レンズをLEDごとに設けてもよく、又は複数個のLEDの光を集光することが可能な集光レンズを使用してもよい。
また一方で、カバー３０の第２領域３３にレンズ効果を付与してもよい。即ち、カバー３０の第２領域３３を通過する光が集光するように、第２領域（又はその一部）３３を凸レンズ状に形成してもよい。このような構成によれば、マップランプモードのときに光源ユニット２０から放出された光がカバー３０を通過する際に集光し、照射範囲の一層狭い光が得られる。
＜参考例２＞
【００２９】
本発明の他の参考例を図２に示す。図２ａは車両室内用照明装置２（以下、「照明装置２」という）の斜視図（マップランプモード時）であり、図２ｂは図２ａのＢ−Ｂ線断面図である。図２ｃは照明装置２がルームランプモード時の断面図である。尚、上記参考例と同一の部材には同一の符号を付してその説明を省略する。
照明装置２は、筐体１０、光源ユニット２５、カバー３５、リフレクタ５０、及びスイッチ４２を備える。
筐体１０は光を透過しない樹脂（本参考例ではグレーに着色された樹脂）からなり、その中央に長方形の開口部を有する正面パネル１１と、正面パネル１１に連続する中空の収納部１２とから構成される。正面パネル１１の中央に設けられた開口部にはカバー３５が嵌め込まれている。正面パネル１１の縁部には開口部が一つ設けられ、この開口部を利用してスイッチ４２が取り付けられる。
筐体１０の収納部１２にはリフレクタ５０が設置されている。リフレクタ５０は概略して部分円柱面状であり、カバー３５に対向する側が反射面５１となっている。反射面５１は中央付近において両側からせり上がるように前方へと突出し、尖形形状の突出部５２を形成している。リフレクタ５０は、樹脂材料を所望の形状に成形した後、光反射率の高い金属（ＡｌやＡｇ）をその表面に蒸着することによって作製される。
収納部１２内においてリフレクタ５０の前方に光源ユニット２５が設置される。光源ユニット２５は回転軸２７によって収納部１２に固定されており、矢印ｘで示すように回転可能な状態となっている。図では省略しているが、光源ユニット２５を駆動するためのモータ及びギアが備えられており、これらの部材によって光源ユニット２５は１８０°回転可能となっている。
【００３０】
光源ユニット２５にはレンズ型LED２６が１個内蔵されている。LED２６は青系発光ダイオードチップを３個と、LEDチップの周りに配される黄色系蛍光体と、及びレンズとによって構成されている。各LEDチップから放出された光の一部は蛍光体によって黄色光へと変換される。その結果、LEDチップの青色光と蛍光体による黄色光とが混色することによって得られる白色の光がLED光として放出される。レンズは全てのLEDを覆うよう備えられており、各LEDチップから放出された光（及び蛍光体の光）はこのレンズによって収斂された後に放出される。LED２６は、所定の配線パターン及び制御回路等が形成された基板に設置されており、図示しない配線を介して給電され、またスイッチ４２による点灯制御を受ける。
カバー３５は光透過性樹脂製の平板状部材である。カバー３５の表面には特別の処理は施されていない。
【００３１】
スイッチ４２はプッシュ式スイッチであって、光源ユニット２５のオンオフ、及び光源ユニット２５の位置（光照射方向）を切替える。スイッチ操作と照明モードとの関係いついては以下に詳しく説明する。尚、照明装置１と同様に照明装置２は自動車ルーフ部に設置されて使用される。
【００３２】
以下、照明装置２の照明態様について説明する。まず初期状態（電源オフ）では、光源ユニット２５はルームランプモード側（第１状態）にあり、その光放出側がリフレクタ５０に対向している（図２ｃを参照）。尚、光源ユニット２５へは給電されず、光源ユニット２５内のLED２６は消灯状態である。この状態においてスイッチ４２を一回押すと、光源ユニット２５が給電され、光源ユニット２５内のLED２６が点灯する。この状態では、光源ユニット２５から放出された光はリフレクタ５０の反射面５１方向に進行する。そして反射面５１に照射した光は反射及び拡散作用を受け、カバー３５方向に進行する広範囲の光へと変換される。このようにして得られた光はカバー３５を透過して外部に放出され、結果として広範囲の光による照明が行われる（ルームランプモード）。この状態においてスイッチ４２を押すことにより、光源ユニット２５は点灯状態を維持しつつ１８０°回転する。その結果、光源ユニット２５の光放出側がカバー３５に対向することとなる（第２状態、図２ｂを参照）。この状態では、LED２６から放出された指光性の高い光がカバー３５を介して外部に放出される。その結果、スポット的な光による照明が行われる（マップランプモード）。続いてスイッチ４２を押すと、光源ユニット２５は１８０°回転し、再びその光放出側をリフレクタ５０に向けることとなる。この動作に連動して光源ユニット２５への給電が停止し、光源ユニット２５は消灯状態となる。
【００３３】
ここで、レンズを備えたLED２６を使用しているために光源ユニット２５からは集光した光が放出され、光源ユニット２６の光軸と交差する反射面５１の中央領域には光束密度の高い光が照射することとなるが、上述のように反射面５１の中央領域に突出部５２を形成したことによって、反射面５１の中央領域における正反射が防止されるとともに横方向への効果的な光の分散が行われる。したがって、光の利用率が向上し、併せて照明光における光密度の分布が均一化される。
＜参考例３＞
【００３４】
本発明の他の参考例を図３示す。図３ａは車両室内用照明装置３（以下、「照明装置３」という）の斜視図であり、図３ｂは図３ａのＣ−Ｃ線断面図である。尚、上記参考例と同一の部材には同一の符号を付してその説明を省略する。
照明装置３は、筐体１０ａ、光源ユニット６０、カバー３６、電源スイッチ４０、及びモード切替スイッチ４３を備える。筐体１０ａは光を透過しない樹脂（本参考例ではグレーに着色された樹脂）からなり、その中央に長方形の開口部を有する正面パネル１１ａと、正面パネル１１ａに連続する中空の収納部１２ａとから構成される。正面パネル１１ａの中央に設けられた開口部にはカバー３６が嵌め込まれている。正面パネル１１ａの縁部には開口部が二つ設けられ、各開口部を利用して電源スイッチ４０及びモード切替スイッチ４３が取り付けられる。
筐体１０ａの収納部１２ａ内には光源ユニット６０が収納される。光源ユニット６０は回転軸６１によって収納部１２ａに固定されており、矢印ｘで示すように回転可能な状態となっている。図では省略しているが、光源ユニット６０を駆動するためのモータ及びギアが備えられており、これらの部材によって光源ユニット６０は約９０°の範囲を回転可能となっている。
【００３５】
筐体１０ａの収納部１２ａの内側表面において、カバー３６の第１領域３８に対向する領域は反射面５３となっている。この反射面は、反射率の高い金属の蒸着によって形成されている。
【００３６】
カバー３６は光透過性樹脂製の平板状部材であって、収納部１２ａ側のほぼ中央にはカバー３６を第１領域３８と第２領域３９とに分ける仕切り３７が形成されている。この参考例において仕切り３７はカバー３６の一部を突出した形状とすることによって形成されている。
カバー３６の第１領域（図３ａにおいて斜線を付した領域）３８において光源ユニット６０に対向する側の表面には光拡散処理が施されている。この参考例ではサンドブラストによって不規則な微細な溝を形成している。
【００３７】
電源スイッチ４０はプッシュ式スイッチであって、これを押すごとに照明装置３のオンオフが切換わる。モード切替スイッチ４３も同様にプッシュ式スイッチであって、照明装置３の照明モードを選択することに使用される。即ち、ルームランプモードとマップランプモードとの切替えに使用される。
【００３８】
次に、照明装置３の照明態様について説明する。まず初期状態（電源オフ）では、光源ユニット６０はマップランプモード側（第２状態）にあり、その光放出側がカバー３６に対向している（図１ｂを参照）。この状態で電源スイッチ４０を押せば光源ユニット６０が給電されてLED２６が点灯する。その結果、光源ユニット６０から放出された光はカバー３６の第２領域３９を介して外部に放出される。したがって、LED２６が備えるレンズによって集光された光による照明が行われることとなる（マップランプモード）。この状態において切替スイッチ４３を押すことにより、光源ユニット６０は点灯状態を維持しつつ９０°回転し、その光放出側が反射面５３に対向する（第１状態）。尚、図３ｂでは、この位置にある光源ユニットを点線６２で示す。以上の動作によって反射面５３に向かう光が発生する。そして、反射面５３に照射した光は反射・拡散作用を受けた後、カバー３６の第１領域３８に向かう。カバー３６の第１領域３８に照射した光は、そこで拡散作用を受ける。その結果、カバー３６の第１領域３８の光放出面からは照射範囲の広い光が放出される。即ち、広範囲の光による照明が行われる（ルームランプモード）。
尚、電源スイッチ４０の操作によって、光源ユニット６０の位置に関係なく光源ユニット６０のオンオフが切替わる。したがって例えば光源ユニット６０が消灯状態でルームランプモード位置にあるときに電源スイッチ４０を押せば、マップランプモードを経ることなくルームランプモードの照明が行なわれる。
同様に、切替スイッチ４３の操作によって、光源ユニット６０の状態（オン状態又はオフ状態）に関係なく光源ユニット６０の位置が切替わる。したがって例えば光源ユニット６０がオフ状態でマップランプモード位置にあるときに切替スイッチ４３を押せば、光源ユニット６０は消灯状態を維持しつつルームランプ位置となる。この状態において電源スイッチ４０を押せば光源ユニット６０が点灯状態となり、上記と同様にルームランプモードの照明が行われる。
＜参考例４＞
【００３９】
本発明の他の参考例を図４に示す。図４ａは車両室内用照明装置４（以下、「照明装置４」という）の斜視図であり、図４ｂは図４ａのＤ−Ｄ線断面図である。尚、上記参考例と同一の部材には同一の符号を付してその説明を省略する。
照明装置４は、筐体１０ｂ、光源ユニット６０、導光体７０、レンズ７５、電源スイッチ４０、及びモード切替スイッチ４３を備える。筐体１０ｂは光を透過しない樹脂（本参考例ではグレーに着色された樹脂）からなり、正面パネル１１ｂと、正面パネルに連続する中空の収納部１２ｂとから構成される。正面パネル１１ｂの中央領域には導光体７０用及びレンズ７５用の開口部がそれぞれ設けられている。同様に、正面パネル１１ｂの縁部には開口部が二つ設けられ、各開口部を利用して電源スイッチ４０及びモード切替スイッチ４３が取り付けられる。
【００４０】
導光体７０は概略平板状であって、筐体１０ｂに取り付けられた際に外部より観察されることとなる面（光放出面７１）は曲面である。また、図４ｂに示すように導光体７０の厚さは、導光体７０の一端側から他端側に向かって次第に大きくなっている。なお、光放出面７１と対を成す面の表面には光反射率の高い金属からなる光反射層７３が形成されている。
筐体１０ｂの収納部１２ｂ内には、導光体７０の一側面（光導入面７２）に対向する位置に光源ユニット６０が収納されている。光源ユニット６０は回転軸６３によって筐体１１ｂに固定されており、矢印ｘで示されるように回転可能な状態となっている。図では省略しているが、光源ユニット６０を駆動するためのモータ及びギアが備えられており、これらの部材によって光源ユニット６０は約９０°の範囲を回転可能となっている。
【００４１】
筐体１０ｂの正面パネル１１ｂに設けられたレンズ用開口部には、導光体からなる集光レンズ７５が装着される。尚、このような集光レンズ７５を上記の導光体７０と一体的に構成してもよい。
【００４２】
次に、照明装置４の照明態様について説明する。まず初期状態（電源オフ）では、光源ユニット６０はルームランプモード側（第１状態）にあり、その光放出側が導光体７０の光導入面７２に対向している。尚、光源ユニット６０へは電力が供給されずLED２６は消灯状態である。この状態で電源スイッチ４０を押すと、光源ユニット６０に電力が供給され、光源ユニット６０内のLED２６が点灯する。LED２６から放出された光は光導入面７２より導光体７０内に導入される。導入された光は導光作用によって導光体７０内を進行し、一部のものは光放出面７１を介して直接外部に放出される。一方で導光体７０内を進行する光の一部は光反射層７３の表面において反射される。これによって、光放出面７１方向の光が発生するとともに光の拡散効果が奏される。その結果、光放出面７１からの光の取出し効率が高まり、また放出される光はその光密度の分布が均一化されたものとなる。このように、以上の状態では導光体７０の光放出面７１を介して、照度の均一化が図られた広範囲の光が放出することとなる（ルームランプモード）。
続いて切替スイッチ４３を押すと、光源ユニット６０は点灯状態を維持しつつ９０°回転し、その光放出側を集光レンズ７５に対向させる（第２状態）。尚、図４ｂではこの位置の光源ユニットを点線６５で示す。この状態では光源ユニット６０から放出された光は集光レンズ７５によって集光された後に外部に放出される。したがって、照明範囲の狭いスポット的な光による照明が行われることとなる（マップランプモード）。
尚、電源スイッチ４０の操作によって、光源ユニット６０の位置に関係なく光源ユニット６０のオンオフが切替わる。したがって例えば光源ユニット６０が消灯状態でマップランプモード位置にあるときに電源スイッチ４０を押せば、ルームランプモードを経ることなくマップランプモードの照明が行なわれる。
同様に、切替スイッチ４３の操作によって、光源ユニット６０の状態（オン状態又はオフ状態）に関係なく光源ユニット６０の位置が切替わる。したがって例えば光源ユニット６０がオフ状態でルームランプモード位置にあるときに切替スイッチ４３を押せば、光源ユニット６０は消灯状態を維持しつつマップランプ位置となる。この状態において電源スイッチ４０を押せば光源ユニット６０が点灯状態となり、上記と同様にマップランプモードの照明が行われる。
【実施例１】
【００４３】
本発明の実施例を図５に示す。図５ａは車両室内用照明装置５（以下、「照明装置５」という）の斜視図であり、図５ｂは図５ａのＥ−Ｅ線断面図である。尚、上記参考例と同一の部材には同一の符号を付してその説明を省略する。
照明装置５は、筐体１０ｃ、光源ユニット６０、スライドトレイ８０、カバー９０、電源スイッチ４０、及びモード切替スイッチ４３を備える。筐体１０ｃは光を透過しない樹脂（本実施例ではグレーに着色された樹脂）からなり、正面パネル１１ｃと、正面パネル１１ｃに連続する中空の収納部１２ｃとから構成される。正面パネル１１ｃにはカバー用開口部とスライドトレイ用開口部がそれぞれ設けられている。また、正面パネル１１ｃの縁部には開口部が二つ設けられ、各開口部を利用して電源スイッチ４０及びモード切替スイッチ４３が取り付けられる。
カバー９０は光透過性樹脂製であって、面積が最大の一対の面が曲面の板状形状を有する。カバー９０の収納部１２Ｃ側表面には規則的なパターンの微細な溝が形成されている。
【００４４】
筐体１０ｃのスライドトレイ用開口部にはスライドトレイ８０が装着される。スライドトレイ８０は光源ユニット６０を保持するための突出部（光源ユニット保持部）８１、８２を左右に有する、平面視コの字状の部材であって、その各側面には溝が形成されている。この溝を利用して前後方向にスライド可能な状態で筐体１０ｃにスライドトレイ８０が固定されている。光源ユニット６０は、回転軸６６を介してスライドトレイ８０の光源ユニット保持部８１、８２に取り付けられる。これによって光源ユニット６０は、スライドトレイ８０に対して、矢印ｘで示すように約１２０°の範囲を回転可能となっている。尚、図では省略しているが、スライドトレイ８０をスライドさせるためのモータ及びギア、並びに光源ユニット６０を回転させるためのモータ及びギアが備えられている。
筐体１０ｃの収納部１２ｃの内側表面において、カバー９０に対向する領域は反射面５４となっている。この反射面５４は、反射率の高い金属の蒸着によって形成されている。
【００４５】
次に、照明装置５の照明態様について説明する。まず初期状態（電源オフ）では、スライドトレイ８０は筐体１０ｃ内に完全に収納された状態であって、光源ユニット６０はルームランプモード側（第１状態）にあり、その光放出側がカバーに対向している（図５ｂを参照）。尚、光源ユニット６０へは給電されずLED２６は消灯状態である。この状態で電源スイッチ４０を押すと、光源ユニット６０が給電されて、光源ユニット６０内のLED２６が点灯する。これによって反射面５４に向かう光が発生する。そして、反射面５４に照射した光は反射・拡散作用を受けた後、カバー９０に向かう。カバー９０に照射した光は、そこで拡散作用を受ける。その結果、カバー９０の光放出面からは照射範囲の広い光が放出される。即ち、広範囲の光による照明が行われる（ルームランプモード）。
続いて切替スイッチ４３を押すことによりスライドトレイ８０が前方へとスライドし、スライドトレイ８０全体の約半分が引き出された状態となる。この動作に連動して、点灯状態を維持しつつ光源ユニット６０が約１２０°回転し、スライドトレイ８０に対して所定の角度で一時的に固定される（第２状態、図５ｃ及び図５ｄを参照）。この状態では、光源ユニット６０から放出された光が直接照明光として利用される。したがって、LED２６が備えるレンズによって集光された光による照明が行われることとなる（マップランプモード）。
【００４６】
尚、電源スイッチ４０の操作によって、光源ユニット６０の位置に関係なく光源ユニット６０のオンオフが切替わる。したがって例えば光源ユニット６０が消灯状態でマップランプモード位置にあるときに電源スイッチ４０を押せば、ルームランプモードを経ることなくマップランプモードの照明が行なわれる。
同様に、切替スイッチ４３の操作によって、光源ユニット６０の状態（オン状態又はオフ状態）に関係なく光源ユニット６０の位置が切替わる。したがって例えば光源ユニット６０がオフ状態でルームランプモード位置にあるときに切替スイッチ４３を押せば、光源ユニット６０は消灯状態を維持しつつマップランプ位置となる。この状態において電源スイッチ４０を押せば光源ユニット６０が点灯状態となり、上記と同様にマップランプモードの照明が行われる。
【００４７】
以上の照明装置５ではスライド動作を利用して光源ユニット６０の状態を変化させることとしたが、回転動作を利用して光源ユニット６０の状態を変化させることもできる。例えば図６に示す車両室内用照明装置５ａでは回転トレイ９１を利用することによってルームランプモードとマップランプモーとの間の変換が行われる。この例では１８０°の範囲で回転可能な状態で回転トレイ９１が筐体１０Ｃに取り付けられている。この照明装置５ａでは、切替スイッチ４３の操作によって回転トレイ９１が、筐体１０ｃの収納部１２ｃ内に完全に収納された状態から、１８０°回転して収納部１２ｃから飛び出した状態へと移行する。前者の状態のときには光源ユニット６０の光は収納部１２ｃ内に照射し、反射面５４による反射・拡散作用及びカバー９０による拡散作用を受けて外部に放出される（ルームランプモード）。一方、後者の状態のときには光源ユニット６０の光は直接外部に放出し、したがってLED２６が備えるレンズによって集光された光による照明が行われる（マップランプモード）。
＜参考例５＞
【００４８】
本発明の他の参考例を図７示す。図７ａは車両室内用照明装置６（以下、「照明装置６」という）の斜視図であり、ルームランプモード時の状態が示される。図７ｂは同様に照明装置６の斜視図であり、マップランプモード時の状態が示される。尚、上記参考例と同一の部材には同一の符号を付してその説明を省略する。
照明装置６は、筐体１０、光源ユニット１００、カバー９２、及びスイッチ４２を備える。筐体１０の正面パネル１１の中央に設けられた開口部には、その一端を軸にして前方に開くことができるようにカバー９２が取り付けられている。カバー９２は光透過性樹脂製であって、閉じた状態において収納部１２側となる面には規則的なパターンの微細な溝が形成されている。
【００４９】
光源ユニット１００は、光源部１０１と、筐体１０への取付けに利用されるＴ字状の固定部１０２とから構成される。図示されるように、この固定部１０２の一部を回転軸として光源ユニット１００は筐体１０の収納部１２内に取り付けられる。これによって光源ユニット１００の光源部１０１は、図７ｂの矢印ｘで示すように、約９０°の範囲で回転可能となっている。一方、光源部１０１は、図７ｂの矢印ｙで示すように、約４０°の範囲で回転可能となるように固定部１０２に取り付けられている。尚、図では省略しているが、光源ユニット１００を回転させるためのモータ及びギアが備えられている。
【００５０】
次に、照明装置６の照明態様について説明する。まず初期状態（電源オフ）では、カバー９２は完全に閉じており、光源ユニット１００の光源部１０１はカバー９２の背後に位置する（第１の状態）。尚、光源ユニット１００へは給電されず、光源ユニット１００内のLED２６は消灯状態である。この状態においてスイッチ４２を一回押すと光源ユニット１００が給電されてLED２６が点灯するLED２６から放出された光はカバー９０の表面に至り、そこで拡散作用を受ける。その結果、カバー９２の光放出面からは照射範囲の広い光が放出される。即ち、広範囲の光による照明が行われる（ルームランプモード）。この状態においてスイッチを押すことによりカバー９２が前方へと開き、この動作に連動して光源ユニット１００の固定部１０２が軸となって回転し、光源ユニット１００の光源部１０１が前方へと起き上がる。その結果、最終的に光源部１０１が突き出した状態（第２状態）となる（図７ｂを参照）。この状態では光源部１０１から放出された光が直接照明光として利用される。したがって、LED２６が備えるレンズによって集光された光による照明が行われる（マップランプモード）。上記のように光源部１０１は一定の範囲で可動可能となっており、光源部１０１を動かすことによって照明光の照射方向を調節することができる。
【００５１】
カバー９２は手動で閉じられる。カバー９２を閉じる動作に連動して光源ユニット１００が収納部１２内に収納される。カバー９２が完全に閉じられると光源ユニット１００への給電が停止し、照明装置６はオフ状態となる。勿論、カバー９２を完全に閉じても点灯状態が継続され、電源スイッチ４２の操作によってはじめて照明装置６がオフ状態となるように設計してもよい。
【００５２】
以上の参考例ではカバー９２の開動作を自動とし、一方でその閉動作を手動としたが、これとは逆に開動作を手動とし、閉動作を自動としてもよい。また、開閉動作を全て自動又は手動としてもよい。
【００５３】
以上の各実施例及び参考例では、切替スイッチ（及び電源スイッチ）が照明装置に備えられる構成としたが、切替スイッチ等が照明装置と別に備えられる構成を採用してもよい。この場合には例えば、切替スイッチ等が運転席周りのパネルやセンターコンソールに設置される。
【００５４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００５５】
以下の事項を開示する。
１１．光源と該光源の光を収斂する集光レンズとを備え、回転することによって光照射方向が第１状態のときに第１の方向となり、第２状態のときに第２の方向となる可動式光源ユニットと、
前記光源ユニットの光放出方向に備えられる光透過性カバーであって、前記第１状態の前記光源ユニットの光が照射する領域に光拡散処理が施されてなる光透過性カバーと、
を備える照明装置。
１２．第１状態のときに光照射方向が第１方向となり、第２状態のときに光放出方向が第２方向となる回転式光源ユニットと、
前記光源ユニットの光放出方向に備えられる光透過性カバーであって、前記第１状態の前記光源ユニットの光が照射する領域に光拡散処理が施されてなる光透過性カバーと、
前記第２状態の前記光源ユニットの光が照射する位置に備えられる集光レンズと、
を備える照明装置。
１３．前記集光レンズが、前記光透過性カバーにおいて前記第２状態の前記光源ユニットの光が照射する領域に形成されている、１２に記載の照明装置。
１４．光源と該光源の光を収斂する集光レンズとを備え、第１状態のときに光照射方向が第１方向となり、第２状態のときに光照射方向が第２方向となる回転式光源ユニットと、
前記光源ユニットの光放出方向に備えられる光透過性カバーであって、前記第１状態の前記光源ユニットの光が照射する領域に光拡散処理が施され、且つ前記第２状態の前記光源ユニットの光が照射する領域に集光レンズが形成されてなる光透過性カバーと、
を備える、照明装置。
【００５６】
２１．光源と該光源の光を収斂する集光レンズとを備え、第１状態のときに光照射方向が第１方向となり、第２状態のときに光照射方向が第２方向となる回転式光源ユニットと、
前記第１状態の前記光源ユニットの光を受ける位置に備えられるリフレクタと、
前記光源ユニットの光放出方向に備えられる光透過性カバーと、
を備える照明装置。
２２．第１状態のときに光照射方向が第１方向となり、第２状態のときに光照射方向が第２方向となる回転式光源ユニットと、
前記第１状態の前記光源ユニットの光を受ける位置に備えられるリフレクタと、
前記光源ユニットの光放出方向に備えられる光透過性カバーであって、前記第２状態の前記光源ユニットの光が照射する領域に集光レンズが形成されている光透過性カバーと、
を備える照明装置。
２３．光源と該光源の光を収斂する集光レンズとを備え、第１状態のときに光照射方向が第１方向となり、第２状態のときに光照射方向が第２方向となる回転式光源ユニットと、
前記第１状態の前記光源ユニットの光を受ける位置に備えられるリフレクタと、
前記光源ユニットの光放出方向に備えられる光透過性カバーであって、前記第２状態の前記光源ユニットの光が照射する領域に集光レンズが形成されている光透過性カバーと、
を備える照明装置。
２４．前記光透過性カバーにおいて、前記第２状態の前記光源ユニットの光が照射する領域以外の領域に光拡散処理が施されている、２１〜２３のいずれかに記載の照明装置。
２５．前記光透過性カバーと前記リフレクタとの間に前記光源ユニットが位置する、２１〜２４のいずれかに記載の照明装置。
２６．前記リフレクタが、前記第１状態の前記光源ユニットの光軸に直交する領域を中心として光源ユニット側に突出している、２５に記載の照明装置。
【００５７】
３１．光源と該光源の光を収斂する集光レンズとを備え、第１状態のときに光照射方向が第１方向となり、第２状態のときに光照射方向が第２方向となる回転式光源ユニットと、
前記第１状態の前記光源の光を導入する光導入面と、導入した光を放出する光放出面とを備える導光体と、
を備える照明装置。
３２．前記導光体において、前記光導入面と前記光放出面以外の表面の少なくとも一部に光反射処理が施されている、３１に記載の照明装置。
３３．前記導光体が、前記第２状態の前記光源ユニットの光を導入する第２光導入面を備える、３１又は３２に記載の照明装置。
３４．前記導光体の一部に、前記第２状態の前記光源ユニットの光を収斂する集光レンズが形成されている、３１〜３３のいずれかに記載の照明装置。
【００５８】
４１．光源と該光源の光を収斂する集光レンズとを備え、第１状態では装置内に位置し、第２状態では前記光源及び前記集光レンズを含む少なくとも一部が突出する可動式光源ユニットと、
前記第１状態の前記光源ユニットの光を受ける位置に備えられるリフレクタと、
前記リフレクタによって反射された光を受ける位置に備えられる光透過性カバーと、
を備える照明装置。
４２．前記第１状態から前記第２状態への移行、及び前記第２状態から前記第１状態への移行がスライド動作によって行なわれる、４１に記載の照明装置。
４３  前記光源ユニットが回転可能な状態で固定されるスライドトレイを更に備え、該スライドトレイが前後にスライドすることによって前記光源ユニットの状態の移行が行なわれる、４２に記載の照明装置。
４４．前記第１状態から前記第２状態への移行、及び前記第２状態から前記第１状態への移行が回転動作によって行なわれる、４１に記載の照明装置。
前記光源ユニットが固定される回転トレイを更に備え、該回転トレイが回転することによって前記光源ユニットの状態の移行が行なわれる、４３に記載の照明装置。
４５．前記光透過性カバーに光拡散処理が施されている、４１〜４３のいずれかに記載の照明装置。
【００５９】
５１．光源と該光源の光を収斂する集光レンズとを備え、第１状態では装置内に位置し、第２状態では前記光源及び前記集光レンズを含む少なくとも一部が突出する可動式光源ユニットと、
光拡散処理が施されている光透過性カバーであって、前記第１状態の前記光源ユニットの光照射方向に位置し、前記光源ユニットが前記第１状態から前記第２状態へ移行する動作に連動して前方に開き、前記光源ユニットが前記第２状態から前記第１状態へ移行する動作に連動して元の状態に戻る光透過性カバーと、
を備える照明装置。
【００６０】
６１．前記光源ユニットに使用される光源がLEDである、１１〜１４、２１〜２６、３１〜３４、４１〜４５、及び５１のいずれかに記載の照明装置。
【産業上の利用可能性】
【００６１】
本発明の照明装置は、広狭二種類の照明が必要とされる場所において使用可能である。したがって、自動車など車両の室内照明として、又は居室用照明などとしてその利用が図られる。
【符号の説明】
【００６２】
１、２、３、４、５、５ａ、６  車両室内用照明装置
１０、１０ａ、１０ｂ、１０ｃ  筐体
２０、６０、１００  光源ユニット
２１、２６  LED
３０、３５、３６、９０、９２  光透過性カバー
２３、２７、６１、６３、６６  回転軸
７０  導光体
７５  集光レンズ
８０  スライドトレイ
９１  回転トレイ
【図１】
0004683104.tif 000002
【図２】
0004683104.tif 000003
【図３】
0004683104.tif 000004
【図４】
0004683104.tif 000005
【図５】
0004683104.tif 000006
【図６】
0004683104.tif 000007
【図７】
0004683104.tif 000008
【図８】
0004683104.tif 000009